【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
表面実装技術（ＳＭＴ）システムにおける方法であって、
該ＳＭＴシステムは、
ＳＭＴピックアンドプレース機械と、
ＳＭＴ情報データベースと、
リーダユニットと、
複数のキャリアとを具備し、
前記複数のキャリアの各々は、
バーコード又はＲＦＩＤの形態のキャリアＩＤであって、各キャリアに固有のキャリアＩＤと、
ＳＭＴジョブ関連情報を提示するためのディスプレイユニットと、
容器装填ユニットをそれぞれ収納するための複数のコンパートメントであって、前記容器装填ユニットが、各容器装填ユニットに固有の容器装填ＩＤを備える、複数のコンパートメントとを具備し、
前記方法は、
前記複数のキャリアのうちの第１のキャリアの前記前記キャリアＩＤを表すキャリアデータを前記リーダユニットによって取得することと、
前記ＳＭＴ情報データベースに前記キャリアデータを送信することと、
前記キャリアデータを送信することに応答して、前記ＳＭＴ情報データベースから入力データを前記キャリアで受信することと、
受信した前記入力データに基づいて、前記ディスプレイユニット上にディスプレイデータを提示することとを備え、
前記ディスプレイデータは、
複数の容器装填ユニットを備えるキャリアを装填するプロセスにおける前記キャリアの変更状態と、
前記キャリアの前記複数のコンパートメント内に具備される、または具備されることになる前記複数の容器装填ユニットに関する更新情報と、
前記キャリアもしくは前記キャリアが収納する少なくとも１つの容器装填ユニットの次の場所と
のうちの少なくとも１つを表すように順次更新される、方法。
【請求項２】
前記複数のキャリアの各々は、部品テープリールである容器装填ユニットを収納するように構成された容器またはトロリーであり、
前記ディスプレイユニットは電子ラベルを備え、
前記ＳＭＴシステムは、前記キャリアデータ及び前記入力データを送信するための無線通信ネットワークを備える、請求項１に記載の方法。
【請求項３】
前記方法は、追加で、
少なくとも１つの容器装填ユニットの前記キャリアＩＤをスキャンすることであって、前記少なくとも１つの容器装填ユニットは前記ＳＭＴピックアンドプレース機械によって行われる次のＳＭＴピックアンドプレースジョブにおいて前記キャリアの前記コンパートメントの１つに具備された、または具備される、少なくとも１つの容器装填ユニットをスキャンすることと、
受信した前記入力データに基づいて、前記ディスプレイユニット上に提示された内容の変更を生成することであって、前記変更は、
容器装填ユニットを備える前記キャリアを装填するプロセスにおける前記キャリアの変更状態と、
前記キャリア内に具備された、または具備されることになる前記容器装填ユニットに関する更新情報と、
前記キャリアもしくは前記キャリアが収納する少なくとも１つの容器装填ユニットの次の場所と
のうちの少なくとも１つを示す、ディスプレイユニット上に提示された内容の変更を生成することとを備える、請求項１又は２に記載の方法。
【請求項４】
前記ディスプレイデータは、前記キャリアの状態をさらに表し、前記状態は、「未登録」、「アイドル」、「プレローディング」、「フル装填」、「キッティング済み」、「切替」及び「機械内」のうちの少なくとも１つである、請求項１または２に記載の方法。
【請求項５】
前記キャリアデータに基づいて、前記ＳＭＴ情報データベースがキャリアまたは容器装填ユニットが取り出されたことを示す検索可能な情報を備えるように前記ＳＭＴ情報データベースを更新することをさらに備える、請求項１又は２に記載の方法。
【請求項６】
前記入力データは、
ＳＭＴジョブを完了させるために必要な容器装填ユニットのサブセットを定義する識別子の形態のキャリアキット識別子と、
対象マガジン識別子と、
ＳＭＴジョブＩＤと、
ＳＭＴピックアンドプレース機械における所定の容器装填ユニットのフィーダ位置と、
容器装填ユニットの前記識別子と、
のうちの少なくとも１つからなる選択肢をさらに含む、請求項１又は２に記載の方法。
【請求項７】
前記キャリアＩＤのうちの少なくとも１つおよび前記容器装填ＩＤのうちの少なくとも１つは、前記ＳＭＴ情報データベース内で互いに関連付けられる、請求項１又は２に記載の方法。
【請求項８】
ディスプレイユニット上のオペレータディスプレイデータを変更するための表面実装技術（ＳＭＴ）システムであって、前記ＳＭＴシステムは、
ＳＭＴピックアンドプレース機械と、
ＳＭＴ情報データベースと、
リーダユニットと、
複数のキャリアであって、前記キャリアはそれぞれ、
ＳＭＴジョブに関連する情報を提示するためのディスプレイユニットと、
前記ディスプレイユニット上に表示されるバーコードまたはＲＦＩＤタグの形態のキャリアＩＤであって、各キャリアに固有のキャリアＩＤと、
容器装填ユニットをそれぞれ収納するための複数のコンパートメントであって、前記容器装填ユニットが前記容器装填ユニットに固有の容器装填ＩＤを備える、コンパートメントとを具備する、複数のキャリアと、
ＳＭＴ情報データベースに通信可能に連結されている処理ユニットと
を備える表面実装技術（ＳＭＴ）システムであって、
前記処理ユニットは、
前記リーダユニットから、前記複数のキャリアのうちの第１のキャリアの前記キャリアＩＤを示すキャリアデータと前記キャリア内に具備された、または具備される容器装填ユニットの容器装填ＩＤを示す容器装填データとを受信するように構成され、
前記ＳＭＴ情報データベース内で前記容器装填ＩＤと前記キャリアＩＤとを関連付けるように構成され、かつ
前記リーダユニットから受信したデータに応答して、前記ディスプレイユニット上の情報の変更をトリガするための入力データを生成するように構成されており、
前記ディスプレイユニットのそれぞれが、
前記ＳＭＴ情報データベースから入力データを受信するように構成され、
受信された前記入力データに基づいて、容器装填ユニットを備える前記キャリアの装填に関連するディスプレイデータを提示するように構成されている、表面実装技術システム。
【請求項９】
容器装填ユニットをそれぞれ収納するための複数のコンパートメントを具備するキャリアであって、前記キャリアは、ＳＭＴシステム内の保管領域とピックアンドプレース機械との間を移動可能に構成され、前記キャリアは、
バーコードＩＤまたはＲＦＩＤタグの形態の各キャリアに固有のキャリアＩＤと、
ＳＭＴジョブに関連する情報を提示するためのディスプレイユニットとを備え、
前記ディスプレイユニットは、無線通信ネットワークから受信した入力データに基づいて、ディスプレイデータを動的に提示および更新するようにさらに構成されており、前記ディスプレイデータは、前記キャリアの装填、前記キャリアの状態、及びＳＭＴジョブのうちの少なくとも１つに関係し、
前記キャリアはさらに、前記キャリアへの容器装填ユニットの装填のプロセス、前記キャリアに関わる切替プロセス、または前記キャリアに関わる補充作業もしくはキッティング作業を通してＳＭＴオペレータを案内するために、前記入力データに基づいて、前記ディスプレイデータを複数回更新及び変更するように構成されている、キャリア。
【請求項１０】
プロセッサで実行されたときに、請求項１に記載の方法のいずれかのステップまたは全部のステップを行うように構成されているコンピュータ可読コードを備える、コンピュータプログラム製品。
【請求項１１】
ＳＭＴ情報データベースとＳＭＴピックアンドプレース機械とを具備する表面実装技術（ＳＭＴ）システムにおいてオペレータに情報を提供する方法であって、前記方法は、
容器装填ユニットを複数収納するためのコンパートメント及びディスプレイユニットを具備する、キャリアを提供することと、
前記ディスプレイユニットで、各キャリアに固有のキャリアＩＤおよび進行中または次のＳＭＴジョブに関係する入力データを受信することであって、前記入力データは前記ＳＭＴ情報データベースから検索されるデータに基づくことと、
前記受信した入力データに基づいて、前記ディスプレイユニット上にディスプレイデータを提示することと
を備える方法であって、
前記キャリアへの容器装填ユニットの装填プロセス、前記キャリアに関わる切替プロセス、前記キャリアに関わる補充作業、及び前記キャリアに関わるキッティング作業のうち少なくとも１つを通して前記オペレータを案内するために前記ディスプレイデータが複数回更新される、方法。
【請求項１２】
前記入力データは、前記ディスプレイユニットに提示されているか、または前記ディスプレイユニットに関連付けられているバーコードをスキャンする前記オペレータに応答して、前記ＳＭＴ情報データベースから検索される、請求項１１に記載の方法。
【請求項１３】
前記ＳＭＴ情報データベースにおいて、前記キャリアＩＤと、前記複数の容器装填ユニットのうちのサブセットの識別子とを関連付けることであって、前記サブセットが前記キャリアのローディング又はキッティングを完了させるために必要な容器装填ユニットを備えることと、
関連付けされた前記キャリアＩＤ及び前記容器装填ユニットの前記サブセットの前記識別子に基づきディスプレイデータを更新することとを備える、請求項１１又は１２に記載の方法。
【請求項１４】
表面実装技術（ＳＭＴ）システムにおけるキャリアであって、ＳＭＴシステムがＳＭＴ情報データベースとＳＭＴピックアンドプレース機械とを具備し、前記キャリアは、容器装填ユニットを複数収納するためのコンパートメントを備え、前記キャリアは前記ＳＭＴピックアンドプレース機械で受容されるか、またはそれに接続されるように構成されており、前記キャリアはさらに、
ディスプレイユニットを具備し、前記ディスプレイユニットは、
前記キャリアおよび進行中または次のＳＭＴジョブに関係する入力データに基づきデータを提示及び表示するように構成され、前記入力データは前記ＳＭＴ情報データベースから検索されるデータに基づいており、
前記キャリアに複数の容器装填ユニットを装填するプロセス、前記キャリアに関わる切替プロセス、前記キャリアに関わる補充作業またはキッティング作業を通して、ＳＭＴオペレータにガイダンスを提供するために、入力データに基づいてディスプレイデータを複数回順次更新することによってディスプレイデータを提示するように構成される、キャリア。
【請求項１５】
前記ディスプレイユニットは、前記ＳＭＴ情報データベースに直接接続されている通信ネットワークとは別の無線通信ネットワークから、入力データを受信するように構成されている、請求項１４に記載のキャリア。
【手続補正２】
【補正対象書類名】明細書
【補正対象項目名】発明の名称
【補正方法】変更
【補正の内容】
【発明の名称】表面実装技術システムのキャリア上に配列されているディスプレイ上に情報を提供する方法、表面実装技術システム、キャリアおよびコンピュータプログラム製品